【手続補正書】
【提出日】平成16年12月13日(2004.12.13)
【手続補正２】
【補正対象書類名】手続補正書
【補正対象項目名】手続補正１
【補正方法】変更
【補正の内容】
【手続補正１】
【補正対象書類名】明細書
【補正対象項目名】特許請求の範囲
【補正方法】変更
【補正の内容】
【特許請求の範囲】
【請求項１】
金又は白金又は銀又はパラジウムを主材料とする、貨幣又は地金型貨幣と称される物又は記念貨幣等と称される物、或いは一国の中央政府では無く政府関連機関又は地方政府又は地方自治機関又は国家連合又はそれらの関連機関・関連会社又は銀行又は銀行関連会社・関連機関又はその他の民間会社・機関などが発行、商業的販売に供される貨幣又は地金型貨幣と称される物又は貨幣的な物又は貨幣風な物、或いは発行者の如何に拘らずコイン又は地金型金貨又は地金型白金貨又は地金型銀貨又は地金型パラジウム貨と称される物（以下本明細書中前記の如き物を「貨幣」と略称する）の、その表・裏・側面の適宜な箇所に、ダイヤモンド・エメラルド等の宝石類、或いは貴石類、或いは人造宝石類、或いはガラス類、或いは陶磁器類、或いは象牙等の動物類の身体の一部、或いはアンモナイト等の化石類、或いはその他の天然石類、或いは主材料以外の金属等の鉱物類、の内の適宜な物を適宜な種類数適宜な数量、埋め込み或いは嵌め込み或いは接着し或いは貼付ける、そのように作られた貨幣。
【請求項２】
円形の、金又は白金又は銀又はパラジウムの純度９９％以上の地金板の、その表・裏・側面の適宜な箇所に、材料名、純度、重量を表示し、且つダイヤモンド・エメラルド等の宝石類、或いは貴石類、或いは人造宝石類、或いはガラス類、或いは陶磁器類、或いは象牙等の動物類の身体の一部、或いはアンモナイト等の化石類、或いはその他の天然石類、或いは主材料以外の金属等の鉱物類、の内の適宜な物を適宜な種類数適宜な数量、埋め込み或いは嵌め込み或いは接着し或いは貼付ける、そのように作られた地金板。
【請求項３】
三角形、又は各頂角の内の一角以上を直線或いは曲線で切欠いた三角形、又は各辺の内の一辺以上が曲線で構成された三角形、又は各辺の内の一辺以上が曲線で構成され且つ各頂角の内の一角以上を直線或いは曲線で切欠いた三角形、以上のような形状の貨幣、又はそのような形状の金又は白金又は銀又はパラジウムの純度９０％以上の地金板。
【請求項４】
各辺の内の一辺以上が曲線で構成された四辺形、又は各辺の内の一辺以上が曲線で構成され且つ各頂角の内の一角以上を直線或いは曲線で切欠いた四辺形、以上のような形状の貨幣、又はそのような形状の金又は白金又は銀又はパラジウムの純度９０％以上の地金板。
【請求項５】
五角形、又は各頂角の内の一角以上を直線或いは曲線で切欠いた五角形、又は各辺の内の一辺以上が曲線で構成された五角形、又は各辺の内の一辺以上が曲線で構成され且つ各頂角の内の一角以上を直線或いは曲線で切欠いた五角形、以上のような形状の貨幣、又はそのような形状の金又は白金又は銀又はパラジウムの純度９０％以上の地金板。
【請求項６】
六角形、又は各頂角の内の一角以上を直線或いは曲線で切欠いた六角形、又は各辺の内の一辺以上が曲線で構成された六角形、又は各辺の内の一辺以上が曲線で構成され且つ各頂角の内の一角以上を直線或いは曲線で切欠いた六角形、以上のような形状の貨幣、又はそのような形状の金又は白金又は銀又はパラジウムの純度９０％以上の地金板。
【請求項７】
七角形、又は各頂角の内の一角以上を直線或いは曲線で切欠いた七角形、又は各辺の内の一辺以上が曲線で構成された七角形、又は各辺の内の一辺以上が曲線で構成され且つ各頂角の内の一角以上を直線或いは曲線で切欠いた七角形、以上のような形状の貨幣、又はそのような形状の金又は白金又は銀又はパラジウムの純度９０％以上の地金板。
【請求項８】
八角形、又は各頂角の内の一角以上を直線或いは曲線で切欠いた八角形、又は各辺の内の一辺以上が曲線で構成された八角形、又は各辺の内の一辺以上が曲線で構成され且つ各頂角の内の一角以上を直線或いは曲線で切欠いた八角形、以上のような形状の貨幣、又はそのような形状の金又は白金又は銀又はパラジウムの純度９０％以上の地金板。
【請求項９】
九角形、又は各頂角の内の一角以上を直線或いは曲線で切欠いた九角形、又は各辺の内の一辺以上が曲線で構成された九角形、又は各辺の内の一辺以上が曲線で構成され且つ各頂角の内の一角以上を直線或いは曲線で切欠いた九角形、以上のような形状の貨幣、又はそのような形状の金又は白金又は銀又はパラジウムの純度９０％以上の地金板。
【請求項１０】
十角形、又は各頂角の内の一角以上を直線或いは曲線で切欠いた十角形、又は各辺の内の一辺以上が曲線で構成された十角形、又は各辺の内の一辺以上が曲線で構成され且つ各頂角の内の一角以上を直線或いは曲線で切欠いた十角形、以上のような形状の貨幣、又はそのような形状の金又は白金又は銀又はパラジウムの純度９０％以上の地金板。
【請求項１１】
十一角より無限角迄の各角形、又は各頂角の内の一角以上を直線或いは曲線で切欠いた十一角より無限角迄の各角形、又は各辺の内の一辺以上が曲線で構成された十一角より無限角迄の各角形、又は各辺の内の一辺以上が曲線で構成され且つ各頂角の内の一角以上を直線或いは曲線で切欠いた十一角より無限角迄の各角形、以上のような形状の貨幣、又はそのような形状の金又は白金又は銀又はパラジウムの純度９０％以上の地金板。
【請求項１２】
円を適宜な箇所で一本以上の直線或いは曲線又は直・曲両線で切断した形状、又は前記形状の円周線と切断線の交わる角又は切断線同士の交わる角を直線或いは曲線で切欠いた形状、以上のような形状の貨幣、又はそのような形状の金又は白金又は銀又はパラジウムの純度９０％以上の地金板。
【請求項１３】
惰円を適宜な箇所で一本以上の直線或いは曲線又は直・曲両線で切断した形状、又は前記形状の円周線と切断線の交わる角又は切断線同士の交わる角を直線或いは曲線で切欠いた形状、以上のような形状の貨幣、又はそのような形状の金又は白金又は銀又はパラジウムの純度９０％以上の地金板。
【請求項１４】
ハート形、又はハート形を２個以上の適宜な個数、適宜な重ね方で重ね合わせた形状、又はハート形を２個以上の適宜な個数、適宜な並べ方で並べ合わせた形状、以上のような形状の貨幣、又はそのような形状の金又は白金又は銀又はパラジウムの純度９０％以上の地金板。
【請求項１５】
円又は楕円を２個以上の適宜な個数、適宜な重ね方で重ね合わせた形状、又は円又は楕円を２個以上の適宜な個数、適宜な並べ方で並べ合わせた形状、以上のような形状の貨幣、又はそのような形状の金又は白金又は銀又はパラジウムの純度９０％以上の地金板。
【請求項１６】
三辺形を２個以上の適宜な個数、適宜な重ね方で重ね合わせた形状、又は三辺形を２個以上の適宜な個数、適宜な並べ方で並べ合わせた形状、以上のような形状の貨幣、又はそのような形状の金又は白金又は銀又はパラジウムの純度９０％以上の地金板。
【請求項１７】
四辺形を２個以上の適宜な個数、適宜な重ね方で重ね合わせた形状、又は四辺形を２個以上の適宜な個数、適宜な並べ方で並べ合わせた形状、以上のような形状の貨幣、又はそのような形状の金又は白金又は銀又はパラジウムの純度９０％以上の地金板。
【請求項１８】
円、三辺形、四辺形、楕円の内の適宜な物を２個以上の適宜な個数、適宜な重ね方で重ね合わせた形状、又は円、三辺形、四辺形、楕円の内の適宜な物を２個以上の適宜な個数、適宜な並べ方で並べ合わせた形状、以上のような形状の貨幣、又はそのような形状の金又は白金又は銀又はパラジウムの純度９０％以上の地金板。
【請求項１９】
請求項３より請求項１８迄の各貨幣又は各地金板の、その表・裏・側面の適宜な箇所にダイヤモンド、エメラルド等の宝石類、或いは貴石類、或いは人造宝石類、或いはガラス類、或いは陶磁器粒類、或いは象牙等の動物類の身体の一部、或いはアンモナイト等の化石類、或いはその他の天然石類、或いはその主材とは異なる金属等の鉱物類、或いはその他の主材とは異なる物、の内の適宜な物を適宜な種類数適宜な数量、埋め込み或いは嵌め込み或いは接着し或いは貼り付けた、そのように作られた貨幣又は地金板。
【請求項２０】
宝飾品の形状又は表面に、生物又は仮想生物又は漫画・絵画・彫刻的表現の生物又は生物風の物の、顔又は身体又は顔・身体の一部又はその他の付帯物を表現し、その中に目・耳・鼻・髪等の顔の造作物又は手・足・腹・首・指・臍等の身体の造作物又はリボン・眼鏡・その他の付帯物を表現し、それを特徴付ける為、その宝飾品の主材料又はその表現された造作物・付帯物の周辺部分の主材料とは異なる材料の物を、埋め込み或いは嵌め込み或いは接着し或いは貼り付けた、そのように作られた宝飾品。
【請求項２１】
請求項３より請求項１８迄の各貨幣又は円形の貨幣又は楕円形の貨幣の、その表面部分と裏面部分の主材々質を、例えば表面を金、裏面を銀などと、別々の材質の金属で作り、それを背中合わせに、適宜な方法で接着又は圧着した、そのような製造法により作られた貨幣。
【請求項２２】
請求項３より請求項１８迄の各地金板又は円形の地金板又は楕円形の地金板の、その表面部分と裏面部分の主材々質を、例えば表面を金、裏面を銀などと、別々の材質の金属で作り、それを背中合わせに、適宜な方法で接着又は圧着した、そのような製造法により作られた地金板。